(57)【要約】【課題】水が溜まりにくく水滴となって落下しにくい天井を形成できる天井パネル、および水が溜まりにくく水滴となって落下しにくい天井を提供する。【解決手段】幅方向の一端の第１の側縁Ａおよび第１の側縁Ａとは反対側の第２の側縁Ｂを有する複数の天井パネル１をその幅方向に並設して天井を形成するための天井パネル１であり；天井パネル１の第１の側縁Ａに、複数の天井パネル１を並設したときに隣接する天井パネル１の第２の側縁Ｂ側の下面に接する、天井パネル１の長さ方向に延在する下側突出片１１２を有し；下側突出片１１２の下面が、天井パネル１の下面の一部とされ；天井パネル１の下面に、親水性被膜が形成されている。【選択図】図１
2018145763.tif 000002
【特許請求の範囲】
【請求項１】
幅方向の一端の第１の側縁および第１の側縁とは反対側の第２の側縁を有する複数の天井パネルをその幅方向に並設して天井を形成するための天井パネルであり、
前記天井パネルの第１の側縁に、複数の天井パネルを並設したときに隣接する天井パネルの第２の側縁側の下面に接する、前記天井パネルの長さ方向に延在する突出片を有し、
前記突出片の下面が、前記天井パネルの下面の一部とされ、
前記天井パネルの下面に、親水性被膜が形成されている、天井パネル。
【請求項２】
前記天井パネルの下面が、頂部が前記天井パネルの長さ方向に延びる下に凸の曲面とされている、請求項１に記載の天井パネル。
【請求項３】
前記天井パネルの下面に、前記天井パネルの長さ方向に延びる、基準面よりも上に凹んだ凹条部および段部のいずれか一方または両方が形成され、
前記親水性被膜の厚さが、基準面よりも前記凹条部および前記段部において厚くされている、請求項１または２に記載の天井パネル。
【請求項４】
前記親水性被膜の厚さが、０．１μｍ以上である、請求項１〜３のいずれか一項に記載の天井パネル。
【請求項５】
前記親水性被膜が、親水性基を有するバインダーを含む膜である、請求項１〜４のいずれか一項に記載の天井パネル。
【請求項６】
前記天井パネルの第１の側縁に、係合凹部を有し、
前記天井パネルの第２の側縁に、前記係合凹部と係合する係合凸部を有し、
前記天井パネルの第１の側縁の前記突出片が、前記係合凹部の一部をなす、請求項１〜５のいずれか一項に記載の天井パネル。
【請求項７】
請求項１〜６のいずれか一項に記載の天井パネルの複数がその幅方向に並設された、天井。
【請求項８】
隣り合う前記天井パネルの間で前記親水性被膜が連続するように、前記天井パネルの前記突出片が隣接する前記天井パネルの前記第２の側縁に被さっている、請求項７に記載の天井。
【請求項９】
前記天井パネルが、その長さ方向に下るように傾斜して設けられた、請求項７または８に記載の天井。
【発明の詳細な説明】
【技術分野】
【０００１】
本発明は、浴室等の天井を形成する天井パネルおよびこれを用いた天井に関する。
【背景技術】
【０００２】
浴室等の天井としては、例えば、複数の長尺の天井パネルをその幅方向に並設したものが知られている。該天井は、例えば、並列した複数の野縁に、複数の天井パネルを取り付けた構造とされている。
【０００３】
浴室等の天井においては、その下面に結露等によって水滴が生じ、この水滴が落下しやすい。そこで、結露等によって水滴が生じにくくするために、天井パネルの下面に親水性被膜を形成することが提案されている（例えば、特許文献１〜５）。
【先行技術文献】
【特許文献】
【０００４】
【特許文献１】特開昭５５−１３９２５８号公報
【特許文献２】特開昭５５−１３９２５９号公報
【特許文献３】特開２０００−０２６６３４号公報
【特許文献４】特許第４３７３７１７号公報
【特許文献５】特開２００５−０２５５５号公報
【発明の概要】
【発明が解決しようとする課題】
【０００５】
しかし、従来の天井パネルが並設された天井においては、天井パネルの下面の親水性被膜に水滴とならずに付着した水が、隣接する天井パネルとの間に形成された溝状の目地に流れ込んで溜まりやすい。天井パネルの間の目地に溜まった水は、水滴となって落下しやすい。
【０００６】
本発明は、水が溜まりにくく水滴となって落下しにくい天井を形成できる天井パネル、および水が溜まりにくく水滴となって落下しにくい天井を提供する。
【課題を解決するための手段】
【０００７】
本発明は、下記の態様を有する。
＜１＞幅方向の一端の第１の側縁および第１の側縁とは反対側の第２の側縁を有する複数の天井パネルをその幅方向に並設して天井を形成するための天井パネルであり；前記天井パネルの第１の側縁に、複数の天井パネルを並設したときに隣接する天井パネルの第２の側縁側の下面に接する、前記天井パネルの長さ方向に延在する突出片を有し；前記突出片の下面が、前記天井パネルの下面の一部とされ；前記天井パネルの下面に、親水性被膜が形成されている、天井パネル。
＜２＞前記天井パネルの下面が、頂部が前記天井パネルの長さ方向に延びる下に凸の曲面とされている、前記＜１＞の天井パネル。
＜３＞前記天井パネルの下面に、前記天井パネルの長さ方向に延びる、基準面よりも上に凹んだ凹条部および段部のいずれか一方または両方が形成され；前記親水性被膜の厚さが、基準面よりも前記凹条部および前記段部において厚くされている、前記＜１＞または＜２＞の天井パネル。
＜４＞前記親水性被膜の厚さが、０．１μｍ以上である、前記＜１＞〜＜３＞のいずれかの天井パネル。
＜５＞前記親水性被膜が、親水性基を有するバインダーを含む膜である、前記＜１＞〜＜４＞のいずれかの天井パネル。
＜６＞前記天井パネルの第１の側縁に、係合凹部を有し；前記天井パネルの第２の側縁に、前記係合凹部と係合する係合凸部を有し；前記天井パネルの第１の側縁の前記突出片が、前記係合凹部の一部をなす、前記＜１＞〜＜５＞のいずれかの天井パネル。
＜７＞前記＜１＞〜＜６＞のいずれかの天井パネルの複数がその幅方向に並設された、天井。
＜８＞隣り合う前記天井パネルの間で前記親水性被膜が連続するように、前記天井パネルの前記突出片が隣接する前記天井パネルの前記第２の側縁に被さっている、前記＜７＞の天井。
＜９＞前記天井パネルが、その長さ方向に下るように傾斜して設けられた、前記＜７＞または＜８＞の天井。
【発明の効果】
【０００８】
本発明の天井パネルによれば、水が溜まりにくく水滴となって落下しにくい天井を形成できる。
本発明の天井は、下面に水が溜まりにくく水滴となって落下しにくい。
【図面の簡単な説明】
【０００９】
【図１】本発明の第１の実施形態の天井パネルを長さ方向の端面側から見た端面図である。
【図２】本発明の第１の実施形態の天井パネルを並設したときの天井パネル間の境界付近を示す拡大端面図である。
【図３】本発明の第１の実施形態の天井パネルを並設したときの天井パネル間の境界付近を示す拡大斜視図である。
【図４】本発明の第２の実施形態の天井パネルを長さ方向の端面側から見た端面図である。
【図５】本発明の第２の実施形態の天井パネルを並設したときの天井パネル間の境界付近を示す拡大端面図である。
【図６】複数の天井パネルを並設した天井の一例を示す斜視図である。
【発明を実施するための形態】
【００１０】
以下の用語の定義は、本明細書および特許請求の範囲にわたって適用される。
「幅方向」とは、複数の天井パネルを並設して天井を形成するときに天井パネルを並設する方向である。
「長さ方向」とは、幅方向に直交する方向である。
「基準面」とは、天井パネルの下面において凹条部または段部が形成されていない部分における平面または曲面である。
【００１１】
＜天井パネル＞
本発明の天井パネルは、複数の天井パネルをその幅方向に並設して浴室等の天井を形成するためのである。
天井パネル自体は、パネル状のものであればよく、その材質、寸法、基本的な構造等は特に限定されない。
【００１２】
（突出片）
本発明の天井パネルは、幅方向の一端の第１の側縁および第１の側縁とは反対側の第２の側縁を有し、第１の側縁には、天井パネルの長さ方向に延在する突出片を有する。
突出片は、複数の天井パネルを並設したときに隣接する天井パネルの第２の側縁側の下面に接する。また、突出片は、その下面が天井パネルの下面の一部とされている。このような突出片は、複数の天井パネルを並設したときに、天井パネル間の目地を隠す蓋の役割を果たす。
【００１３】
（係合部）
本発明の天井パネルは、複数の天井パネルを並設しやすい点から、第１の側縁および第２の側縁のそれぞれに、互いに係合し得る係合部が形成されていることが好ましい。また、突出片を係合部の一部として利用できる点から、第１の側縁に係合凹部を有し、第２の側縁に係合凹部と係合する係合凸部を有し、第１の側縁の突出片が係合凹部の一部をなしていることが好ましい。
【００１４】
（下面）
本発明の天井パネルの下面は、頂部が前記天井パネルの長さ方向に延びる下に凸の曲面とされていることが好ましい。本発明の天井パネルの下面がこのような曲面とされていることによって、天井パネルの下面に付着した水が曲面の頂部（最も下がった部分）に集まり、頂部を伝って壁に向かって流れやすくなる。
【００１５】
天井パネルの下面には、意匠性等の点から、天井パネルの長さ方向に延びる、基準面よりも上に凹んだ凹条部および段部のいずれか一方または両方が形成されていることがある。
【００１６】
（親水性被膜）
本発明の天井パネルの下面には、親水性被膜が形成されている。
親水性被膜の表面においては、結露等によって生じた水滴が天井パネルの下面に沿って流れるため、落下水が生じにくい。また、親水性被膜は、天井パネルの下面の傷付きを抑える。
【００１７】
親水性被膜としては、有機系親水性被膜が挙げられる。
有機系親水性被膜としては、結露等によって落下水がさらに生じにくい点から、親水性基を有するバインダーを含む膜が好ましい。親水性基としては、スルホン酸基またはその塩、水酸基、カルボキシ基またはその塩、ポリ（オキシアルキレン）基、アンモニウム塩等が挙げられる。
親水性被膜は、防かび剤、艶消し材等を含んでいてもよい。また、親水性被膜の表面を微細な凹凸構造にして親水機能を増加させてもよい。
【００１８】
有機系親水性被膜の具体例としては、スルホン酸基またはその塩を有する２官能（メタ）アクリレートの重合体を含む膜；Ｎ−メチロール基またはＮ−アルコキシメチロール基を有するビニル系単量体、スルホン酸基を有するビニル系単量体およびアルキル（メタ）アクリレート系単量体の重合体を含む膜；親水性基およびアルコキシシリル基を有する重合体を含む膜等が挙げられる。
【００１９】
親水性被膜の厚さは、０．１μｍ以上が好ましく、１．０〜５．０μｍがより好ましく、２．５〜３．５μｍがさらに好ましい。親水性被膜の厚さが前記範囲の下限値以上であれば、結露等による水滴の発生が十分に抑えられる。親水性被膜の厚さが前記範囲の上限値以下であれば、親水性被膜を形成しやすい。
【００２０】
天井パネルの下面に、天井パネルの長さ方向に延びる、基準面よりも上に凹んだ凹条部および段部のいずれか一方または両方が形成されている場合、凹条部および段部に水がとどまり。そのため、親水性被膜の厚さは、基準面よりも凹条部および段部において厚くされていることが好ましく、０．１μｍ以上厚くされていることがより好ましく、０．２μｍ以上厚くされていることがさらに好ましい。凹条部および段部における親水性被膜が厚くされていることによって、凹条部および段部にとどまった水が壁に向かって流れやすくなる。
【００２１】
親水性被膜は、天井パネルの下面に親水性コート剤を塗布し、乾燥することによって形成される。
親水性コート剤の塗布方法としては、ロールコート法、スプレーコート法、カーテンコート法、フローコート法、バーコート法、刷毛塗り等が挙げられ、親水性コート剤の使用量を抑え、効率よく長物にコーティングできる点から、スポンジロールによるロールコート法が好ましい。
凹条部および段部における親水性被膜を厚くするためには、凹条部および段部に親水性コート剤を厚く塗布すればよい。凹条部および段部に親水性コート剤を厚く塗布する方法としては、ロールコート法、スプレーコート法が挙げられる。
【００２２】
（第１の実施形態）
図１は、本発明の第１の実施形態の天井パネルを長さ方向の端面側から見た端面図であり、図２は、本発明の第１の実施形態の天井パネルを並設したときの天井パネル間の境界付近を示す拡大端面図であり、図３は、本発明の第１の実施形態の天井パネルを並設したときの天井パネル間の境界付近を示す拡大斜視図である。
【００２３】
天井パネル１は、長尺のパネル状のものである。
天井パネル１は、充填材１０と；充填材１０の下面、幅方向の両側面および上面の両側縁を覆うフレーム１２と；充填材１０の上面のうちフレーム１２で覆われていない部分を被覆する保護フィルム１４と；フレーム１２の下面の全体に設けられた親水性被膜（図示略）とを有する。
【００２４】
充填材１０は、硬質発泡ウレタン等からなり、フレーム１２の内側形状に対応した形状となる。充填材１０は、天井パネル１に断熱性、剛性を付与する。
フレーム１２は、合成樹脂を押出成形して形成されたものである。
保護フィルム１４は、アルミニウム蒸着フィルム等からなる。保護フィルム１４は、天井パネル１の気密性を高め、充填材１０による断熱性を高める。
【００２５】
フレーム１２は、下面板１０２と；第１の側縁Ａ側の下面板１０２の端から上方に屈曲した、長さ方向に延在する第１の側面板１０４と；第２の側縁Ｂ側の下面板１０２の端から上方に屈曲した、長さ方向に延在する第２の側面板１０６と；第１の側面板１０４の途中から充填材１０に沿うように内側に延出した、長さ方向に延在する第１の上側縁板１０８と；第２の側面板１０６の上端から充填材１０に沿うように内側に屈曲した、長さ方向に延在する第２の上側縁板１１０と；第１の側縁Ａ側の下面板１０２の端から外側に突出した、長さ方向に延在する下側突出片１１２と；第１の側面板１０４の上端から外側に突出した、長さ方向に延在する上側突出片１１４と；第２の上側縁板１１０の途中から外側に突出した、長さ方向に延在する固定板１１６と；第１の側面板１０４の中央から外側に突出した、長さ方向に延在するクッション材１１８とを有する。
【００２６】
下面板１０２の下面は、幅方向の中央付近の頂部１０２ａが天井パネル１の長さ方向に延びる、下にわずかに凸の曲面とされている。
下面板１０２の下面の第１の側縁Ａ側、中央および第２の側縁Ｂ側には、それぞれ天井パネル１の長さ方向に延びる、基準面よりも上に凹んだ第１の凹条部２０２、第２の凹条部２０４および第３の凹条部２０６が形成されている。
下面板１０２の下面の第３の凹条部２０６よりもさらに第２の側縁Ｂ側には、下側段部２０８が形成されている。
第２の上側縁板１１０の第２の側縁Ｂ側には、上側段部２１０が形成されている。
【００２７】
第１の側縁Ａには、第１の側面板１０４、下側突出片１１２および上側突出片１１４からなる第１の係合凹部３０２が形成されている。
第１の側縁Ａには、上側突出片１１４からなる第１の係合凸部３０４が形成されている。
第２の側縁Ｂには、第２の側面板１０６、下側段部２０８における下面板１０２および上側段部２１０における第２の上側縁板１１０からなる第２の係合凸部３０６が形成されている。
第２の側縁Ｂには、上側段部２１０における第２の上側縁板１１０および固定板１１６からなる第２の係合凹部３０８が形成されている。
複数の天井パネル１を並設したときには、図２および図３に示すように、第１の係合凹部３０２と第２の係合凸部３０６とが係合し、第１の係合凸部３０４と第２の係合凹部３０８とが係合する。
【００２８】
下側突出片１１２は、図２および図３に示すように、複数の天井パネル１を並設したときに隣接する天井パネル１の第２の側縁Ｂ側の下面（下側段部２０８の下面）に接する。また、下側突出片１１２の下面は、基準面と同じとされ、天井パネル１の下面の一部となっている。このため、下側突出片１１２は、複数の天井パネル１を並設したときに、天井パネル１間の目地を隠す蓋の役割を果たす。
また、下側突出片１１２が隣接する天井パネル１の下側段部２０８の下面に接することによって、図３に示すように、下側突出片１１２と接していない部分の下側段部２０８が凹条部のように見える。
【００２９】
固定板１１６には、長手方向に並んだ複数の釘穴（図示略）が形成されている。複数の天井パネル１を並設するときに、釘穴を通して天井下地（野縁等）に釘打ちすることによって、天井パネル１を天井下地に固定できる。
クッション材１１８は、軟質ポリ塩化ビニル等の軟質樹脂からなる弾性変形可能な断面Ｕ字形のパイプ状の突起である。クッション材１１８が、複数の天井パネル１を並設するときの天井パネル１の幅方向の動きを吸収するため、天井パネル１をスムーズに並設できる。
親水性被膜は、天井パネル１の下面の基準面よりも第１の凹条部２０２、第２の凹条部２０４、第３の凹条部２０６および下側段部２０８において厚くされている。
【００３０】
（第２の実施形態）
図４は、本発明の第２の実施形態の天井パネルを長さ方向の端面側から見た端面図であり、図５は、本発明の第２の実施形態の天井パネルを並設したときの天井パネル間の境界付近を示す拡大端面図である。
【００３１】
天井パネル２は、長尺のパネル状のものである。
天井パネル２は、充填材２０と；充填材２０の下面、幅方向の両側面および上面の両側縁を覆うフレーム２２と；充填材２０の上面のうちフレーム２２で覆われていない部分を被覆する保護フィルム２４と；フレーム２２の下面の全体に設けられた親水性被膜（図示略）とを有する。
【００３２】
充填材２０は、硬質発泡ウレタン等からなり、フレーム２２の内側形状に対応した形状となる。充填材２０は、天井パネル２に断熱性、剛性を付与する。
フレーム２２は、合成樹脂を押出成形して形成されたものである。
保護フィルム２４は、アルミニウム蒸着フィルム等からなる。保護フィルム２４は、天井パネル２の気密性を高め、充填材２０による断熱性を高める。
【００３３】
フレーム２２は、下面板１２２と；第１の側縁Ａ側の下面板１２２の端から上方に屈曲した、長さ方向に延在する第１の側面板１２４と；第２の側縁Ｂ側の下面板１２２の端から上方に屈曲した、長さ方向に延在する第２の側面板１２６と；第１の側面板１２４の上端から充填材１０に沿うように内側に屈曲した、長さ方向に延在する第１の上側縁板１２８と；第２の側面板１２６の上端から充填材１０に沿うように内側に屈曲した、長さ方向に延在する第２の上側縁板１３０と；第１の側縁Ａ側の下面板１２２の端から外側に突出した、長さ方向に延在する第１の下側突出片１３２と；第１の側面板１２４の上端から外側に突出した、長さ方向に延在する第１の中央突出片１３４と；第１の中央突出片１３４の途中から上方に突出し、さらに外側に屈曲した、長さ方向に延在する断面Ｌ字形の第１の上側突出片１３６と；第２の側縁Ｂ側の下面板１２２の端から外側に突出した、長さ方向に延在する第２の下側突出片１３８と；第２の側面板１２６の途中から外側に突出した、長さ方向に延在する第２の中央突出片１４０と；第２の側面板１２６の上端から外側に突出した、長さ方向に延在する固定板１４２とを有する。
【００３４】
下面板１２２の下面は、幅方向の中央付近の頂部１２２ａが天井パネル２の長さ方向に延びる下にわずかに凸の曲面とされている。
下面板１２２には、それぞれ天井パネル１の長さ方向に延びる、基準面よりも上に凹んだ複数の凹条部２１２が形成されている。
下面板１２２の下面の第２の側縁Ｂ側には、段部２１４が形成されている。
【００３５】
第１の側縁Ａには、第１の側面板１２４、第１の下側突出片１３２および第１の中央突出片１３４からなる第１の下係合凹部３１２が形成されている。
第１の側縁Ａには、第１の中央突出片１３４からなる第１の下係合凸部３１４が形成されている。
第１の側縁Ａには、第１の中央突出片１３４および第１の上側突出片１３６からなる第１の上係合凹部３１６が形成されている。
第１の側縁Ａには、第１の上側突出片１３６からなる第１の上係合凸部３１８が形成されている。
【００３６】
第２の側縁Ｂには、第２の下側突出片１３８からなる第２の下係合凸部３２０が形成されている。
第２の側縁Ｂには、第２の側面板１２６、第２の下側突出片１３８および第２の中央突出片１４０からなる第２の下係合凹部３２２が形成されている。
第２の側縁Ｂには、第２の中央突出片１４０からなる第２の上係合凸部３２４が形成されている。
第２の側縁Ｂには、第２の側面板１２６、第２の中央突出片１４０および固定板１４２からなる第２の上係合凹部３２６が形成されている。
【００３７】
複数の天井パネル２を並設したときには、図５に示すように、第１の下係合凹部３１２と第２の下係合凸部３２０とが係合し、第１の下係合凸部３１４と第２の下係合凹部３２２とが係合し、第１の上係合凹部３１６と第２の上係合凸部３２４とが係合し、第１の上係合凸部３１８と第２の上係合凹部３２６とが係合する。
【００３８】
第１の下側突出片１３２は、図５に示すように、複数の天井パネル２を並設したときに隣接する天井パネル２の第２の側縁Ｂ側の下面（第２の下側突出片１３８の下面）に接する。また、第１の下側突出片１３２の下面は、基準面と同じとされ、天井パネル２の下面の一部となっている。このため、第１の下側突出片１３２は、複数の天井パネル２を並設したときに、天井パネル２間の目地を隠す蓋の役割を果たす。
また、第１の下側突出片１３２が隣接する天井パネル２の第２の下側突出片１３８の下面に接することによって、図５に示すように、第１の下側突出片１３２と接していない部分の第２の下側突出片１３８および段部２１４が凹条部のように見える。
【００３９】
固定板１４２には、長手方向に並んだ複数の釘穴（図示略）が形成されている。複数の天井パネル２を並設するときに、釘穴を通して天井下地（野縁等）に釘打ちすることによって、天井パネル２を天井下地に固定できる。
親水性被膜は、天井パネル２の下面の基準面よりも凹条部２１２および段部２１４において厚くされている。
【００４０】
（他の実施形態）
なお、本発明の天井パネルは、第１の側縁に、複数の天井パネルを並設したときに隣接する天井パネルの第２の側縁側の下面に接する、天井パネルの長さ方向に延在する突出片を有し；突出片の下面が、天井パネルの下面の一部とされ；天井パネルの下面に、親水性被膜が形成されているものであればよく、図示例のものに限定されない。
例えば、フレームは、アルミニウム等の金属製のフレームであってもよい。
天井パネルは、石膏ボート、樹脂板等を基材としたパネルであってもよく、中空のパネルであってもよい。
【００４１】
（作用機序）
１．以上説明した本発明の天井パネルにあっては、天井パネルの下面に、親水性被膜が形成されているため、結露等によって生じた水滴が天井パネルの下面に沿って流れるため、落下水が生じにくい。
また、本発明の天井パネルにあっては、第１の側縁に、複数の天井パネルを並設したときに隣接する天井パネルの第２の側縁側の下面に接する、天井パネルの長さ方向に延在する突出片を有し、かつ突出片の下面が、天井パネルの下面の一部とされているため、突出片が、複数の天井パネルを並設したときに、天井パネル間の目地を隠す蓋の役割を果たす。そのため、天井パネルの下面の親水性被膜に水滴とならずに付着した水が、隣接する天井パネルとの間に形成された溝状の目地に流れ込んで溜まることがない。
以上のことから、本発明の天井パネルは、水が溜まりにくく水滴となって落下しにくい天井を形成できる。
【００４２】
２．また、天井パネルの下面が、頂部が天井パネルの長さ方向に延びる下に凸の曲面とされていれば、天井パネルの下面に付着した水が曲面の頂部に集まり、頂部を伝って壁に向かって流れやすくなる。
３．また、天井パネルの下面に、天井パネルの長さ方向に延びる、基準面よりも上に凹んだ凹条部および段部のいずれか一方または両方が形成されている場合において、親水性被膜の厚さが、基準面よりも前記凹条部および前記段部において厚くされていれば、凹条部および段部にとどまった水が壁に向かって流れやすくなる。
【００４３】
４．また、親水性被膜の厚さが、０．１μｍ以上であれば、結露等による水滴の発生が十分に抑えられる。
５．また、親水性被膜が、親水性基を有するバインダーを含む膜であれば、結露等によって水滴がさらに生じにくい。
６．また、天井パネルの第１の側縁に、係合凹部を有し；天井パネルの第２の側縁に、係合凹部と係合する係合凸部を有し；天井パネルの第１の側縁の突出片が、係合凹部の一部をなすものであれば、複数の天井パネルを並設しやすく、また突出片を係合部の一部として利用できる。
【００４４】
＜天井＞
本発明の天井は、本発明の天井パネルの複数がその幅方向に並設されたものである。
図６は、複数の天井パネルを並設した天井の一例を示す斜視図である。
天井は、天井下地４０２に、複数の天井パネル１を並列した状態で取り付けた構造とされている。壁パネル４０４の上端と、天井パネル１の長さ方向の端部との境目には、廻り縁４０６が設けられている。
【００４５】
天井においては、隣り合う天井パネル１の間で親水性被膜が連続するように、天井パネル１の突出片が隣接する天井パネル１の第２の側縁に被さっている。そのため、隣接する天井パネルの間に水が溜まることがなく、天井パネル１の下面を水がスムーズに流れる。
【００４６】
天井パネル１は、壁パネル３０に向かって天井パネル１の長さ方向に下るように傾斜して設けられることが好ましい。天井パネル１がこのように傾斜して設けられることによって、天井パネル１の下面の親水性被膜に付着した水が壁に向かって流れやすくなる。天井パネル１の傾斜角は、水平に対して５度以上が好ましく、１５〜３０度がより好ましい。
【００４７】
また、天井パネル１の下面は、幅方向の中央付近の頂部１０２ａが天井パネル１の長さ方向に延びる、下にわずかに凸の曲面とされているため、天井パネル１の下面に付着した水が曲面の頂部１０２ａ（最も下がった部分）に集まり、頂部１０２ａを伝って壁に向かって流れやすい。
【００４８】
（他の実施形態）
なお、本発明の天井は、本発明の天井パネルの複数がその幅方向に並設されたものであればよく、図示例のものに限定されない。
【００４９】
（作用機序）
以上説明した本発明の天井にあっては、本発明の天井パネルの複数がその幅方向に並設されたものであるため、下面に水が溜まりにくく水滴となって落下しにくい。
【産業上の利用可能性】
【００５０】
本発明の天井パネルは、浴室等の天井に用いる天井パネルとして有用である。
【符号の説明】
【００５１】
１  天井パネル、
２  天井パネル、
１０  充填材、
１２  フレーム、
１４  保護フィルム、
２０  充填材、
２２  フレーム、
２４  保護フィルム、
１０２  下面板、
１０２ａ  頂部、
１０４  第１の側面板、
１０６  第２の側面板、
１０８  第１の上側縁板、
１１０  第２の上側縁板、
１１２  下側突出片、
１１４  上側突出片、
１１６  固定板、
１１８  クッション材、
１２２  下面板、
１２２ａ  頂部、
１２４  第１の側面板、
１２６  第２の側面板、
１２８  第１の上側縁板、
１３０  第２の上側縁板、
１３２  第１の下側突出片、
１３４  第１の中央突出片、
１３６  第１の上側突出片、
１３８  第２の下側突出片、
１４０  第２の中央突出片、
１４２  固定板、
２０２  第１の凹条部、
２０４  第２の凹条部、
２０６  第３の凹条部、
２０８  下側段部、
２１０  上側段部、
２１２  凹条部、
２１４  段部、
３０２  第１の係合凹部、
３０４  第１の係合凸部、
３０６  第２の係合凸部、
３０８  第２の係合凹部、
３１２  第１の下係合凹部、
３１４  第１の下係合凸部、
３１６  第１の上係合凹部、
３１８  第１の上係合凸部、
３２０  第２の下係合凸部
３２２  第２の下係合凹部、
３２４  第２の上係合凸部、
３２６  第２の上係合凹部、
４０２  天井下地、
４０４  壁パネル、
４０６  廻り縁、
Ａ  第１の側縁、
Ｂ  第２の側縁。
【図１】
2018145763.tif 000003
【図２】
2018145763.tif 000004
【図３】
2018145763.tif 000005
【図４】
2018145763.tif 000006
【図５】
2018145763.tif 000007
【図６】
2018145763.tif 000008